(57)【要約】【課題】氷雪上性能をより向上させるとともに、タイヤの横滑りを抑制した空気入りタイヤを供する。【解決手段】最外側周方向主溝(11o)よりタイヤ幅方向の内側に位置する内側陸部(12A,12B)は、タイヤ幅方向に延びる複数本の幅方向溝(13)により複数の内側ブロック(14)に区画され、内側ブロック(14)にはタイヤ幅方向に延びる少なくとも２つの幅方向サイプ(15)が形成される空気入りタイヤにおいて、幅方向サイプ(15)は、内側ブロック(14)のタイヤ幅方向の両側面に開口し、内側ブロック(14)には、タイヤ周方向に延びて同内側ブロック(14)をタイヤ幅方向に等分に二分する周方向サイプ(16)が形成される。【選択図】図２
2020199911.tif 000002
【特許請求の範囲】
【請求項１】
タイヤのトレッドにタイヤ周方向に延びる複数本の周方向主溝(11i,11o)により区画されて複数の周方向に連なる陸部(12A,12B,12C)が形成され、
前記周方向主溝(11i,11o)のうちタイヤ幅方向の最も外側の最外側周方向主溝(11o)よりタイヤ幅方向の内側に位置する前記陸部(12A,12B,12C)のうちの内側陸部(12A,12B)は、タイヤ幅方向に延びる複数本の幅方向溝(13)により複数の内側ブロック(14)に区画され、
前記内側ブロック(14)には、タイヤ幅方向に延びる少なくとも２つの幅方向サイプ(15)が形成される空気入りタイヤにおいて、
前記幅方向サイプ(15)は、前記内側ブロック(14)のタイヤ幅方向の両側面に開口し、
前記内側ブロック(14)には、タイヤ周方向に延びて同内側ブロック(14)をタイヤ幅方向に等分に二分する周方向サイプ(16)が形成されることを特徴とする空気入りタイヤ。
【請求項２】
前記周方向サイプ(16)は、タイヤ幅方向に振れながらタイヤ周方向にジグザグ形状に折曲して形成されることを特徴とする請求項１に記載の空気入りタイヤ。
【請求項３】
ジグザグ形状に折曲して形成された前記周方向サイプ(16)は、その折曲部で前記幅方向サイプ(15)と交差することを特徴とする請求項２に記載の空気入りタイヤ。
【請求項４】
前記周方向主溝(11i,11o)は、タイヤ幅方向に振れながらタイヤ周方向にジグザグ形状に延びており、
前記内側ブロック(14)は、前記周方向主溝(11i,11o)のジグザグ形状に合わせてタイヤ幅方向の側面がジグザグ形状に形成されることを特徴とする請求項１ないし請求項３のいずれか１項に記載の空気入りタイヤ。
【請求項５】
前記周方向サイプ(16)は、タイヤ径方向の深さが前記幅方向溝(13)と同じであり、前記周方向主溝(11i,11o)のタイヤ径方向の深さの50％以上で70％以下の深さを有することを特徴とする請求項１ないし請求項４のいずれか１項に記載の空気入りタイヤ。
【請求項６】
前記幅方向サイプ(15)は、タイヤ径方向の深さが前記周方向サイプ(16)と同じであることを特徴とする請求項５に記載の空気入りタイヤ。
【発明の詳細な説明】
【技術分野】
【０００１】
本発明は、空気入りタイヤに関し、特に、氷雪上性能を備えた空気入りタイヤに関する。
【背景技術】
【０００２】
氷雪上性能を考慮したスタッドレス仕様のタイヤでは、タイヤトレッドに周方向主溝により区画された周方向に連なる陸部を幅方向溝により複数のブロックに分割し、各ブロックにサイプを形成したトラクションパターンがよく知られている。
【０００３】
特に、雪上で走行する場合は、ブロック間の幅方向溝に雪を食い込ませて圧縮して雪柱せん断力を発生させて、トラクション効果を得ることが期待されるので、各ブロックはある程度の大きさを有して剛性が高いことが求められる。
また、サイプは、路面とタイヤの間に生じる水
膜を吸水によりなくすとともに、サイプのエッジ部により路面水膜を切り裂いて路面に直接接触することでトラクション性を向上させることができる。
【０００４】
サイプには、その両端がブロックの両側面に開口する両端開口サイプと、一端が開口する片側開口サイプと、両端がブロック内で閉じる両端閉口サイプがあるが、両端開口サイプが最もエッジ成分が大きく、トラクション効果が大きい。
【０００５】
そこで、エッジ成分の大きい両端閉口サイプをタイヤ幅方向に延びる幅方向サイプを、ブロックのタイヤ周方向の中央に形成した技術思想（例えば、特許文献１参照）が提案されている。
【先行技術文献】
【特許文献】
【０００６】
【特許文献１】特開２００６−１０３４６４号公報
【０００７】
特許文献１に開示された空気入りタイヤは、トレッドが周方向主溝と幅方向溝により区画されて複数のブロックに分割され、各ブロックにはタイヤ幅方向に延びる３つの幅方向サイプが形成されている。
タイヤ周方向の両外側の幅方向サイプは両端閉口サイプ（クローズドサイプ）であるが、タイヤ周方向の中央の幅方向サイプが両端開口サイプ（オープンサイプ）である。
【０００８】
３つの幅方向サイプによりトラクション性を向上させている。
特に、タイヤ周方向の中央の幅方向サイプは、両端開口サイプでトラクション効果が大きいとともに、両端開口サイプであることからブロックをタイヤ周方向に略等分に分断しているが、分断された小ブロックどうしは、接地時に押圧変形して互いに接して１つに一体化して剛性を高めることができ、雪上走行時にトラクション効果を得ることができる。
【発明の概要】
【発明が解決しようとする課題】
【０００９】
しかし、特許文献１に開示された空気入りタイヤは、接地時に小ブロックどうしが接して１つに一体化したブロックが剛性が高いことから、またブロックにはタイヤ幅方向に延びる幅方向サイプのみが形成されていることから、幅方向サイプにタイヤ幅方向に効くエッジ成分がなくタイヤのタイヤ幅方向の横滑りが生じ易い。
【００１０】
本発明は、かかる点に鑑みなされたもので、その目的とする処は、氷雪上性能をより向上させるとともに、タイヤの横滑りを抑制した空気入りタイヤを供する点にある。
【課題を解決するための手段】
【００１１】
上記目的を達成するために、本発明は、
タイヤのトレッドにタイヤ周方向に延びる複数本の周方向主溝により区画されて複数の周方向に連なる陸部が形成され、
前記周方向主溝のうちタイヤ幅方向の最も外側の最外側周方向主溝よりタイヤ幅方向の内側に位置する前記陸部のうちの内側陸部は、タイヤ幅方向に延びる複数本の幅方向溝により複数の内側ブロックに区画され、
前記内側ブロックには、タイヤ幅方向に延びる少なくとも２つの幅方向サイプが形成される空気入りタイヤにおいて、
前記幅方向サイプは、前記内側ブロックのタイヤ幅方向の両側面に開口し、
前記内側ブロックには、タイヤ周方向に延びて同内側ブロックをタイヤ幅方向に等分に二分する周方向サイプが形成されることを特徴とする空気入りタイヤを提供する。
【００１２】
この構成によれば、内側ブロックに形成される少なくとも２つの幅方向サイプは内側ブロックのタイヤ幅方向の両側面に開口する両端開口サイプであり、同じく両端開口サイプである周方向サイプと相俟ってトラクション効果が大きい。
接地時には、幅方向サイプによりタイヤ周方向に分断された小ブロックどうしが押圧変形して互いに接し、また周方向サイプによりタイヤ幅方向に分断された小ブロックどうしが押圧変形して互いに接することで、内側ブロックは１つに一体化して剛性を高めることができ、雪上走行時にトラクション効果を得ることができ、益々トラクション性を向上させることができる。
【００１３】
また、周方向サイプは、タイヤ周方向に延びて内側ブロックをタイヤ幅方向に等分に二分する周方向に延びる両端開口サイプであるので、タイヤ周方向に延びてタイヤ幅方向に効くエッジ成分が大きく存在し、同エッジ成分により接地時に剛性が高くなる内側ブロックのタイヤ幅方向の横滑りを抑制することができる。
【００１４】
本発明の好適な実施形態では、
前記周方向サイプは、タイヤ幅方向に振れながらタイヤ周方向にジグザグ形状に折曲して形成される。
【００１５】
この構成によれば、周方向サイプは、タイヤ幅方向に振れながらタイヤ周方向にジグザグ形状に折曲して形成されるので、エッジ成分が増加し、タイヤ幅方向に効くエッジ成分のほかに、タイヤが回動するタイヤ周方向に効くエッジ成分も備えて、タイヤ幅方向の横滑りを抑制するとともに、トラクション効果を向上させることができる。
【００１６】
本発明の好適な実施形態では、
ジグザグ形状に折曲して形成された前記周方向サイプは、その折曲部で前記幅方向サイプと交差する。
【００１７】
この構成によれば、ジグザグ形状に折曲して形成された周方向サイプは、その折曲部で幅方向サイプと交差するので、内側ブロックのうちで変形により偏摩耗が生じ易い周方向サイプの折曲部と幅方向サイプとの交差部とを一致させることで、変形により偏摩耗の生じる起点を最少限に抑えることができる。
【００１８】
本発明の好適な実施形態では、
前記周方向主溝は、タイヤ幅方向に振れながらタイヤ周方向にジグザグ形状に延びており、
前記内側ブロックは、前記周方向主溝のジグザグ形状に合わせてタイヤ幅方向の側面がジグザグ形状に形成される。
【００１９】
この構成によれば、内側ブロックは、周方向主溝のジグザグ形状に合わせてタイヤ幅方向の側面がジグザグ形状に形成されるので、内側ブロックのタイヤ幅方向の両側面がタイヤ幅方向に効くエッジ成分のほかに、タイヤが回動するタイヤ周方向に効くエッジ成分を備えて、タイヤ幅方向の横滑りを抑制するとともに、トラクション効果を向上させることができる。
【００２０】
本発明の好適な実施形態では、
前記周方向サイプは、タイヤ径方向の深さが前記幅方向溝と同じであり、前記周方向主溝のタイヤ径方向の深さの50％以上で70％以下の深さを有する。
【００２１】
この構成によれば、周方向サイプは、タイヤ径方向の深さが幅方向溝と同じであり、周方向主溝のタイヤ径方向の深さの50％以上で70％以下の深さを有するので、摩耗初期のブロックについて必要な剛性を確保しながら摩耗の進行に対して内側ブロックの周方向サイプおよび幅方向溝のエッジ成分を長く確保して、外観性とともに横滑りの抑制とトラクション性を長期間維持できる。
【００２２】
本発明の好適な実施形態では、
前記幅方向サイプは、タイヤ径方向の深さが前記周方向サイプと同じである。
【００２３】
この構成によれば、幅方向サイプは、タイヤ径方向の深さが周方向サイプと同じであるので、摩耗の進行に対して内側ブロックの幅方向サイプのエッジ成分を長く確保して、外観性とともにトラクション性を長期間維持できる。
【発明の効果】
【００２４】
本発明は、内側ブロックに形成される少なくとも２つの幅方向サイプは内側ブロックのタイヤ幅方向の両側面に開口する両端開口サイプであり、同じく両端開口サイプである周方向サイプと相俟ってトラクション効果が大きい。
接地時には、幅方向サイプによりタイヤ周方向に分断した小ブロックどうしが押圧変形して互いに接し、また周方向サイプによりタイヤ幅方向に分断した小ブロックどうしが押圧変形して互いに接することで、内側ブロックは１つに一体化して剛性を高めることができ、雪上走行時にトラクション効果を得ることができ、益々トラクション性を向上させることができる。
【００２５】
また、周方向サイプは、タイヤ周方向に延びて内側ブロックをタイヤ幅方向に等分に二分する周方向に延びる両端開口サイプであるので、タイヤ周方向に延びてタイヤ幅方向に効くエッジ成分により、接地時に剛性が高くなる内側ブロックのタイヤ幅方向の横滑りを抑制することができる。
【図面の簡単な説明】
【００２６】
【図１】本発明の一実施の形態に係る空気入りタイヤのタイヤ幅方向断面図である。
【図２】同空気入りタイヤのトレッドの部分平面図である。
【図３】同トレッドの部分拡大平面図である。
【図４】図３のIV−IV矢視による同内側陸部の部分断面図である。
【図５】図３のV−V矢視による同内側陸部の部分断面図である。
【図６】別の実施の形態に係る空気入りタイヤのトレッドの部分平面図である。
【図７】同トレッドの部分拡大平面図である。
【発明を実施するための形態】
【００２７】
以下、本発明に係る一実施の形態について図１ないし図５に基づいて説明する。
図１は、本実施形態に係るトラック・バス用の重荷重用ラジアルタイヤである空気入りタイヤ１のタイヤ幅方向断面図（タイヤ回転中心軸を含む平面で切断したときの断面図）である。
【００２８】
空気入りタイヤ１は、金属線がリング状に巻回されて形成された左右一対のビードリング２，２に、両側縁をそれぞれ巻き付けて両側縁間をタイヤ径方向外側に膨出してトロイダル状にカーカスプライ３が形成されている。
【００２９】
カーカスプライ３の内表面には耐空気透過性のインナライナ部４が形成されている。
カーカスプライ３のクラウン部の外周には、ベルト６が複数重ねられるように巻き付けられてベルト層５を形成しており、そのタイヤ径方向外側にトレッド７が覆いかぶさるように形成されている。
ベルト層５はベルト６が複数層に重ねられたもので、各ベルト６はベルトコードをベルト用ゴムにより被覆して帯状にしたものである。
【００３０】
カーカスプライ３の両サイド部の外表面には、サイドウォール部８が形成されている。
カーカスプライ３のビードリング２に巻き付けられて折り返された環状端部を覆うビード部９は、内側がインナライナ部４に連続し、外側がサイドウォール部８に連続する。
【００３１】
図２は、トレッド７の部分平面図であり、図３は、同トレッド７の部分拡大平面図である。
図１および図２を参照して、トレッド７には、タイヤ幅方向の中央のタイヤ赤道線Ｌｅの両側に、それぞれ２本ずつタイヤ周方向に延びる周方向主溝11ｉ，11ｏが、タイヤ幅方向に略等間隔に形成されている。
【００３２】
４本の周方向主溝11ｏ，11ｉ，11ｉ，11ｏは、タイヤ赤道線Ｌｅに近いタイヤ幅方向内側の内側周方向主溝11ｉ，11ｉと、内側周方向主溝11ｉのさらにタイヤ幅方向の最も外側の最外側周方向主溝11ｏとからなる。
周方向主溝11ｉ，11ｏは、いずれもタイヤ幅方向に振れながらタイヤ周方向にジグザグ形状に延びている。
【００３３】
この４本の周方向主溝11ｏ，11ｉ，11ｉ，11ｏにより区画されて５本のタイヤ周方向に延びる陸部12Ｃ，12Ｂ，12Ａ，12Ｂ，12Ｃが形成されている。
タイヤ幅方向の両側の最外側周方向主溝11ｏ，11ｏの間のタイヤ赤道線Ｌｅのあるタイヤ幅方向の内側に、３本の内側陸部12Ｂ，12Ａ，12Ｂが区画されている。
最外側周方向主溝11ｏよりタイヤ幅方向外側のタイヤショルダ領域にショルダ陸部12Ｃが区画されている。
【００３４】
内側陸部12Ａ，12Ｂは、それぞれタイヤ周方向に等間隔に設けられたタイヤ幅方向に延びる複数本の幅方向溝13により複数の内側ブロック14に区画されている。
幅方向溝13は、溝幅が大きく、タイヤ径方向の深さが周方向主溝11ｉ，11ｏの深さの60％の深さである（図４，図５参照）。
内側ブロック14は、周方向主溝11ｉ，11ｏのジグザグ形状に合わせてタイヤ幅方向の側面がジグザグ形状に形成されている。
【００３５】
内側ブロック14には、タイヤ幅方向に直線的に延びる２つの幅方向サイプ15が形成されている。
幅方向サイプ15は、内側ブロック14のタイヤ幅方向の両側面に開口する両端開口サイプである。
したがって、内側ブロック14は、互いに平行な２つの幅方向サイプ15によりタイヤ周方向にほぼ３等分に分断される。
【００３６】
また、内側ブロック14には、タイヤ周方向に延びて内側ブロック14をタイヤ幅方向に等分に二分する周方向サイプ16が形成されている。
すなわち、周方向サイプ16は両端開口サイプである。
【００３７】
周方向サイプ16は、タイヤ幅方向に振れながらタイヤ周方向にジグザグ形状に折曲して形成されている。
周方向サイプ16は、タイヤ周方向にほぼ３等分する２箇所が折曲部16ａ，16ｂとなっており、周方向サイプ16は、折曲部16ａ，16ｂにおいてそれぞれ幅方向サイプ15，15と交差する。
【００３８】
周方向サイプ16は、タイヤ径方向の深さが幅方向溝13と同じであり、前記周方向主溝11ｉ，11ｏのタイヤ径方向の深さの60％の深さを有する（図４，図５参照）。
幅方向サイプ15は、タイヤ径方向の深さが周方向サイプ16と同じである。
したがって、内側ブロック14は、２つの幅方向サイプ15と１つの周方向サイプ16により６つの小ブロック14ｓに分断される。
【００３９】
幅方向サイプ15および周方向サイプ16は、溝幅が１．０mm未満の切り込みである。
そのため、幅方向サイプ15と周方向サイプ16により分断された小ブロック14ｓは、接地時に、サイプを挟んで隣接する小ブロック14ｓが押圧変形して互いに接することで、一体化して１つの内側ブロック14となって剛性を高めることができる。
【００４０】
図２を参照して、最外側周方向主溝11ｏよりタイヤ幅方向外側のショルダ陸部12Ｃは、タイヤ周方向に直線的に延びる周方向細溝21によりタイヤ幅方向内側の内側ショルダ陸部12Ｃｉとタイヤ幅方向外側の外側ショルダ陸部12Ｃｏとに区画される。
【００４１】
内側ショルダ陸部12Ｃｉは、タイヤ周方向に等間隔に設けられたタイヤ幅方向に延びる内側幅方向ラグ溝22により複数の内側ショルダブロック23に区画される。
内側幅方向ラグ溝22のタイヤ径方向の深さは、最外側周方向主溝11ｏのタイヤ径方向の深さの60％である。
【００４２】
内側ショルダブロック23には、タイヤ幅方向に直線的に延びる幅方向サイプ24が３つ互いに平行に形成されている。
幅方向サイプ24は、一端が最外側周方向主溝11ｏに開口し、他端が周方向細溝21に開口する両側開口サイプであり、タイヤ径方向の深さは、内側幅方向ラグ溝22と同じである。
【００４３】
したがって、内側ショルダブロック23は、３つの幅方向サイプ24によりブロック長の短い小ブロックに分断されている。
接地時には、幅方向サイプ24の両側の小ブロックが押圧変形して互いに接する。
【００４４】
ショルダ陸部12Ｃの周方向細溝21によりタイヤ幅方向外側に区画された外側ショルダ陸部12Ｃｏは、タイヤ周方向に等間隔に設けられたタイヤ幅方向に延びる外側幅方向ラグ溝32により複数の外側ショルダブロック33に区画される。
【００４５】
外側幅方向ラグ溝32は、溝幅が大きく、タイヤ径方向の深さが内側幅方向ラグ溝22のタイヤ径方向の深さと略同じである。
外側幅方向ラグ溝32は、タイヤ周方向で内側幅方向ラグ溝22と同じ位置に形成されている。
したがって、ショルダ陸部12Ｃにおける内側幅方向ラグ溝22と外側幅方向ラグ溝32がタイヤ周方向で同じ位置に形成されているので、ショルダ陸部12Ｃの排水性が向上している。
【００４６】
以上、詳細に説明した本発明に係る空気入りタイヤの一実施の形態では、以下に記す効果を奏する。
最外側周方向主溝11ｏよりタイヤ幅方向の内側に位置する内側陸部12Ａ，12Ｂは、タイヤ幅方向に延びる複数本の幅方向溝13により複数の内側ブロック14に区画され、図２および図３に示されるように、同内側ブロック14には、２つの幅方向サイプ15と１つの周方向サイプ16が形成され、かつ幅方向サイプ15と周方向サイプ16は両端開口サイプであるので、トラクション効果が大きい。
【００４７】
接地時には、幅方向サイプ15によりタイヤ周方向に分断された小ブロック14ｓどうしが押圧変形して互いに接し、また周方向サイプ16によりタイヤ幅方向に分断された小ブロック14ｓどうしが押圧変形して互いに接することで、内側ブロック14は１つに一体化して剛性を高めることができ、雪上走行時にトラクション効果を得ることができ、益々トラクション性を向上させることができる。
【００４８】
また、図２および図３に示されるように、周方向サイプ16は、タイヤ周方向に延びて内側ブロック14をタイヤ幅方向に等分に二分する周方向に延びる両端開口サイプであるので、タイヤ周方向に延びてタイヤ幅方向に効くエッジ成分が大きく存在し、同エッジ成分により接地時に剛性が高くなる内側ブロック14のタイヤ幅方向の横滑りを抑制することができる。
【００４９】
図２および図３に示されるように、周方向サイプ16は、タイヤ幅方向に振れながらタイヤ周方向にジグザグ形状に折曲して形成されるので、エッジ成分が増加し、タイヤ幅方向に効くエッジ成分のほかに、タイヤが回動するタイヤ周方向に効くエッジ成分も備えて、タイヤ幅方向の横滑りを抑制するとともに、トラクション効果を向上させることができる。
【００５０】
図３に示されるように、ジグザグ形状に折曲して形成された周方向サイプ16は、その折曲部16ａ，16ｂにおいてそれぞれ幅方向サイプ15，15と交差するので、内側ブロック14のうちで変形により偏摩耗が生じ易い周方向サイプ16の折曲部16ａ，16ｂと幅方向サイプ15，15との交差部とを一致させることで、変形により偏摩耗の生じる起点を最少限に抑えることができる。
【００５１】
図２および図３に示されるように、内側ブロック14は、周方向主溝11ｉ，11ｏのジグザグ形状に合わせてタイヤ幅方向の側面がジグザグ形状に形成されるので、内側ブロック14のタイヤ幅方向の両側面がタイヤ幅方向に効くエッジ成分のほかに、タイヤが回動するタイヤ周方向に効くエッジ成分を備えて、タイヤ幅方向の横滑りを抑制するとともに、トラクション効果を向上させることができる。
【００５２】
図４および図５を参照して、周方向サイプ16と幅方向サイプ15は、タイヤ径方向の深さが幅方向溝13と同じであり、周方向主溝11ｉ，11ｏのタイヤ径方向の深さの60％の深さを有するので、摩耗初期の内側ブロック14について必要な剛性を確保しながら摩耗の進行に対して内側ブロック14の周方向サイプ16と幅方向サイプ15と幅方向溝13のエッジ成分を長く確保して、外観性とともに横滑りの抑制とトラクション性を長期間維持できる。
【００５３】
周方向サイプ16と幅方向サイプ15と幅方向溝13のタイヤ径方向の深さが、周方向主溝11ｉ，11ｏのタイヤ径方向の深さの70％を超えると、摩耗初期の内側ブロック14について必要な剛性を確保し難い。
また、周方向サイプ16と幅方向サイプ15と幅方向溝13のタイヤ径方向の深さが、周方向主溝11ｉ，11ｏのタイヤ径方向の深さの50％未満であると、摩耗の進行に対して内側ブロック14の周方向サイプ16と幅方向サイプ15と幅方向溝13のエッジ成分を長く確保できず、外観性および横滑りの抑制とトラクション性を長期間維持することができない。
【００５４】
したがって、周方向サイプ16と幅方向サイプ15と幅方向溝13のタイヤ径方向の深さは、周方向主溝11ｉ，11ｏのタイヤ径方向の深さの50％以上で70％以下であればよい。
【００５５】
次に、別の実施の形態に係る空気入りタイヤについて図６および図７に基づいて説明する。
図６は、本空気入りタイヤのトレッドの部分平面図である。
本空気入りタイヤは、前記実施の形態に係る空気入りタイヤ１と殆ど同じトレッドパターンを有しており、唯一異なる内側ブロック54を除く部位については、同じ符号を用いる。
【００５６】
最外側周方向主溝11ｏ，11ｏの間の内側陸部12Ｂ，12Ａ，12Ｂが複数本の幅方向溝13により区画されて形成された内側ブロック54には、タイヤ幅方向に直線的に延びる３つの幅方向サイプ55が形成されている。
幅方向サイプ55は、両端開口サイプであり、内側ブロック54は、互いに平行な３つの幅方向サイプ55によりタイヤ周方向にほぼ４等分に分断される。
【００５７】
また、内側ブロック54には、タイヤ周方向に延びて内側ブロック54をタイヤ幅方向に等分に二分する周方向サイプ56が形成されている。
周方向サイプ56は、タイヤ幅方向に振れながらタイヤ周方向にジグザグ形状に折曲して形成されている。
【００５８】
周方向サイプ56は、タイヤ周方向にほぼ４等分する３箇所が折曲部56ａ，56ｂ，56ｃとなっており、周方向サイプ56は、折曲部56ａ，56ｂ，56ｃにおいてそれぞれ幅方向サイプ55，55，55と交差する。
【００５９】
幅方向サイプ55と周方向サイプ56は、溝幅が１．０mm未満の切り込みであり、タイヤ径方向の深さが幅方向溝13と同じであり、周方向主溝11ｉ，11ｏのタイヤ径方向の深さの60％の深さを有する。
【００６０】
そのため、幅方向サイプ55と周方向サイプ56により分断された小ブロック54ｓは、接地時に、サイプを挟んで隣接する小ブロック54ｓが押圧変形して互いに接することで、一体化して１つの内側ブロック54となって剛性を高めることができる。
【００６１】
最外側周方向主溝11ｏよりタイヤ幅方向の内側に位置する内側陸部12Ａ，12Ｂは、タイヤ幅方向に延びる複数本の幅方向溝13により複数の内側ブロック54に区画され、図６および図７に示されるように、同内側ブロック54には、３つの幅方向サイプ55と１つの周方向サイプ56が形成され、かつ幅方向サイプ55と周方向サイプ56は両端開口サイプであるので、トラクション効果が大きい。
【００６２】
接地時には、幅方向サイプ55によりタイヤ周方向に分断された小ブロック54ｓどうしが押圧変形して互いに接し、また周方向サイプ56によりタイヤ幅方向に分断された小ブロック54ｓどうしが押圧変形して互いに接することで、内側ブロック54は１つに一体化して剛性を高めることができ、雪上走行時にトラクション効果を得ることができ、益々トラクション性を向上させることができる。
【００６３】
また、図６および図７に示されるように、周方向サイプ56は、タイヤ周方向に延びて内側ブロック54をタイヤ幅方向に等分に二分する周方向に延びる両端開口サイプであるので、タイヤ周方向に延びてタイヤ幅方向に効くエッジ成分が大きく存在し、同エッジ成分により接地時に剛性が高くなる内側ブロック54のタイヤ幅方向の横滑りを抑制することができる。
【００６４】
図７に示されるように、ジグザグ形状に折曲して形成された周方向サイプ56は、その折曲部56ａ，56ｂ，56ｃにおいてそれぞれ幅方向サイプ15，15と交差するので、内側ブロック14のうちで変形により偏摩耗が生じ易い周方向サイプ16の折曲部56ａ，56ｂ，56ｃと幅方向サイプ55，55，55との交差部とを一致させることで、変形により偏摩耗の生じる起点を最少限に抑えることができる。
【００６５】
以上、本発明に係る２つの実施の形態に係る空気入りタイヤについて説明したが、本発明の態様は、上記実施の形態に限定されず、本発明の要旨の範囲で、多様な態様で実施されるものを含むものである。
【００６６】
本実施の形態では、トレッドに周方向に延びて形成される周方向主溝は４本であったが、４本に限られない。
また、本発明の空気入りタイヤは、トラック・バス用タイヤに限らず、乗用車用タイヤにも適用できる。
【符号の説明】
【００６７】
１…空気入りタイヤ、２…ビードリング、３…カーカスプライ、４…インナライナ部、５…ベルト層、６…ベルト、７…トレッド、８…サイドウォール部、９…ビード部、
11ｉ…内側周方向主溝、11ｏ…最外側周方向主溝、
12Ａ，12Ｂ…内側陸部、12Ｃ…ショルダ陸部、12Ｃｉ…内側ショルダ陸部、12Ｃｏ…外側ショルダ陸部、13…幅方向溝、
14…内側ブロック、14ｓ…小ブロック、15…幅方向サイプ、16…周方向サイプ、16ａ，16ｂ…折曲部、
21…周方向細溝、
22…内側幅方向ラグ溝、23…内側ショルダブロック、24…幅方向サイプ、
32…外側幅方向ラグ溝、33…外側ショルダブロック、
54…内側ブロック、54ｓ…小ブロック、55…幅方向サイプ、56…周方向サイプ、56ａ，56ｂ，56ｃ…折曲部。
【図１】
2020199911.tif 000003
【図２】
2020199911.tif 000004
【図３】
2020199911.tif 000005
【図４】
2020199911.tif 000006
【図５】
2020199911.tif 000007
【図６】
2020199911.tif 000008
【図７】
2020199911.tif 000009